(57)【特許請求の範囲】
【請求項１】
透明な樹脂材料からなる透明基材と、
前記透明基材の一方の面に形成された受容層と、
前記透明基材の、前記受容層が形成された面と反対側の面に、前記透明基材の一部を除外して形成された隠蔽層と、
を有することを特徴とする隠蔽カード。
【請求項２】
前記隠蔽層は、透過濃度が０．７以上であることを特徴とする請求項１に記載の隠蔽カード。
【請求項３】
前記隠蔽層は、前記透明基材の１つの辺から所定の距離内において、当該辺に沿う方向に所定以上の幅で形成されていることを特徴とする請求項１または請求項２に記載の隠蔽カード。
【請求項４】
前記透明基材は、１８０μｍ以上３００μｍ以下の厚さのポリエチレンテレフタレートであって、
前記受容層は、ポリエステル樹脂系のインキを塗布することにより形成されていることを特徴とする請求項１から請求項３のいずれか一項に記載の隠蔽カード。
【請求項５】
請求項１から請求項４のいずれか一項に記載の隠蔽カードと、
顔画像と個別情報が印刷された主カードと、
２枚以上のカードを挿入可能であって、カードの挿入時に当該カードの表面を視認可能な透明部を有するカードケースと、を備え、
前記隠蔽カードの前記隠蔽層が、前記主カードの前記顔画像以外の領域に位置するように、前記隠蔽カードと前記主カードが重ねて前記カードケースに挿入されてなることを特徴とするカードセット。
【発明の詳細な説明】
【技術分野】
【０００１】
本発明は、対象とするカードに重ねることにより、カード上の所定の部分を隠蔽することが可能な隠蔽カードに関する。
【背景技術】
【０００２】
従来、様々な用途に対応して、キャッシュカード、クレジットカード、ポイントカード、身分証等の様々なカードが発行されている（特許文献１参照）。これらのカードは、その用途に応じて、磁気記録層、感熱印字層、ＩＣチップなどが形成され、所望の情報を記録することを可能とするものもある。また、社員証や会員証等の身分証では、その表面に目視可能な情報が印刷されており、提示するだけで身分の確認ができるようになっている。これらのカードは、単体として所持することもできるが、カードの保護や携帯性向上のため、カードケースに入れて所持することもできる（特許文献２参照）。
【先行技術文献】
【特許文献】
【０００３】
【特許文献１】特開２０１０−２４７４２０号公報
【特許文献２】特開２０００−２８０６６４号公報
【発明の概要】
【発明が解決しようとする課題】
【０００４】
上述のようなカードは、様々な団体から発行され、個人が所有するカードの枚数は増える一方である。一方で、カードには多くの情報を記録可能なＩＣチップを搭載することができ、１枚のカードに様々な情報を集約することも可能になっている。情報を集約し、１枚のカードの表面に多くの情報を印刷することにより、様々な場面において、その１枚のカードを提示すれば、多様な恩恵を受けられることになる。しかしながら、１枚のカードの表面に多くの情報を印刷した場合、隠しておきたい情報まで、開示してしまう状況が生じるという問題がある。
【０００５】
そこで、本発明は、対象とするカードに重ねることにより、カード上の所定の部分を隠蔽することが可能な隠蔽カードを提供することを課題とする。
【課題を解決するための手段】
【０００６】
上記課題を解決するため、本発明では、
透明な樹脂材料からなる透明基材と、
前記透明基材の一方の面に形成された受容層と、
前記透明基材の、前記受容層が形成された面と反対側の面に、前記透明基材の一部を除外して形成された隠蔽層と、
を有することを特徴とする隠蔽カードを提供する。
【０００７】
本発明の隠蔽カードによれば、透明な樹脂材料からなる透明基材と、透明基材の一方の面に形成された受容層と、透明基材の、受容層が形成された面と反対側の面に、透明基材の一部を除外して形成された隠蔽層と、を有するので、対象とするカードに重ねることにより、カード上の所定の部分を隠蔽することができるとともに、隠蔽カードに個別情報を印字しておくことにより、対象とするカードと隠蔽カードを重ねた状態で、新たな個別情報を印刷したカードとして利用することが可能となる。
【０００８】
また、本発明に係る隠蔽カードは、前記隠蔽層が、透過濃度が０．７以上であることを特徴とする。
【０００９】
本発明の隠蔽カードによれば、透明基材の一部を除外して形成された隠蔽層の透過濃度が０．７以上であるので、対象とするカードの隠蔽したい部分を高い確度で隠蔽することが可能となる。
【００１０】
また、本発明に係る隠蔽カードは、前記隠蔽層が、前記透明基材の１つの辺から所定の距離内において、当該辺に沿う方向に所定以上の幅で形成されていることを特徴とする。
【００１１】
本発明の隠蔽カードによれば、透明基材の一部を除外して形成された隠蔽層が、透明基材の１つの辺から所定の距離内において、その辺に沿う方向に所定以上の幅で形成されているので、個別情報の印刷時に、隠蔽カードに印刷を行うためのプリンタが、隠蔽カードの存在を高い確度で検知することが可能となる。
【００１２】
また、本発明に係る隠蔽カードは、前記透明基材が、１８０μｍ以上３００μｍ以下の厚さのポリエチレンテレフタレートであって、前記受容層が、ポリエステル樹脂系のインキを塗布することにより形成されていることを特徴とする。
【００１３】
本発明の隠蔽カードによれば、１８０μｍ以上３００μｍ以下の厚さの透明のポリエチレンテレフタレートに、ポリエステル樹脂系のインキで受容層が形成されているので、軽量であって、個別情報の印刷適性の高い隠蔽カードを得ることが可能となる。
【００１４】
また、本発明では、
前記隠蔽カードと、
顔画像と個別情報が印刷された主カードと、
２枚以上のカードを挿入可能であって、カードの挿入時に当該カードの表面を視認可能な透明部を有するカードケースと、を備え、
前記隠蔽カードの前記隠蔽層が、前記主カードの前記顔画像以外の領域に位置するように、前記隠蔽カードと前記主カードが重ねて前記カードケースに挿入されてなることを特徴とするカードセットを提供する。
【００１５】
本発明のカードセットによれば、隠蔽カードと、顔画像と個別情報が印刷された主カードと、２枚以上のカードを挿入可能であって、カードの挿入時にカードの表面を視認可能な透明部を有するカードケースと、を備え、隠蔽カードの隠蔽層が、主カードの顔画像以外の領域に位置するように、隠蔽カードと主カードが重ねてカードケースに挿入されてなるので、顔画像と開示したくない情報が印刷された多用途のカードを、開示したくない情報を隠蔽した状態で、所持・利用することが可能となる。
【発明の効果】
【００１６】
本発明によれば、対象とするカードに重ねることにより、カード上の所定の部分を隠蔽することが可能となる。
【図面の簡単な説明】
【００１７】
【図１】本発明の第１の実施形態に係る隠蔽カードを示す図である。
【図２】本発明の第２の実施形態に係る隠蔽カードを示す図である。
【図３】個人番号カードとして用いられる主カードの一例を示す図である。
【図４】主カードに隠蔽カードを重ねた状態を示す図である。
【図５】カードケースを利用した隠蔽カードの使用例を示す図である。
【発明を実施するための形態】
【００１８】
以下、本発明の好適な実施形態について、図面を参照して詳細に説明する。
＜１．第１の実施形態＞
＜１．１．隠蔽カードの構成＞
図１は、本発明の第１の実施形態に係る隠蔽カードを示す図である。このうち、図１（ａ）は平面図であり、図１（ｂ）は図１（ａ）におけるＡ−Ａ線に対応する断面図であり、図１（ｃ）は図１（ａ）におけるＢ−Ｂ線に対応する断面図である。図１において、１は透明基材、２は受容層（「受像層」とも呼ばれる）、３は隠蔽層、４はサインパネル、５はホログラム、１ａは透過部、１０は隠蔽カードである。
【００１９】
図１（ｂ）（ｃ）に示すように、透明基材１の一方の面（本明細書において上面という）には、受容層２が形成されている。受容層２は、透明基材１の表面に易接着処理がなされていない場合、インクを転写し易くするために形成される。本実施形態では、受容層２は、透明基材１の上面側全面に形成されており、隠蔽カード１０の全ての領域において、個別情報の印刷が好適に行えるようになっている。受容層２は、必ずしも透明基材１の上面側全面に形成する必要はなく、個別情報を印刷する予定の領域にのみ形成すればよい。
【００２０】
また、図１（ｂ）（ｃ）に示すように、透明基材１の他方の面、すなわち受容層２が形成された面と反対側の面（本明細書において下面という）には、隠蔽層３が形成されている。隠蔽層３は、隠蔽カードを他のカードと重ねた際に、他のカードの表示内容を隠蔽するために形成される。
【００２１】
さらに、図１（ｂ）（ｃ）に示すように、受容層２に重ねて、サインパネル４、ホログラム５が形成されている。サインパネル４は、カード所有者によるサイン（署名・記名）が行われる部分である。ホログラム５は、立体像の表示や像の可変表示を行い、その製造の困難性からカードの真正性を証明するためのものである。
【００２２】
隠蔽カード１０の平面形状は、略長方形状（図１（ａ）の例では横長）であり、角が丸みを帯びている。隠蔽カード１０の平面形状については、特に制限はないが、重ねることにより隠蔽されるカードと同一形状および同一サイズで作成されることが好ましい。従って、隠蔽されるカードがＪＩＳ規格に従ったカードである場合は、隠蔽カード１０もＪＩＳ規格に従った形状・サイズとなる。ＪＩＳ規格に従う場合、平面方向のサイズは、８５．６０ｍｍ（図１（ａ）横方向に対応）×５３．９８ｍｍ（図１（ａ）上下方向に対応）となる。また、角の丸みの半径は３ｍｍである。
【００２３】
図１（ｂ）（ｃ）においては、層構成のみを示すものであるため、現実とは厚さの比が異なっている。したがって、図１（ｂ）（ｃ）においては、透明基材１、受容層２、隠蔽層３の厚さを同一にして示しているが、実際には、後述するように、適宜設計される。また、図１（ｂ）（ｃ）においては、平面方向の長さと厚さの比も現実とは異なっている。実際には、平面方向の長さ（図１（ｂ）（ｃ）の左右方向）が数十ｍｍ程度であるのに対して、厚さ（図１（ｂ）（ｃ）の上下方向）は数百μｍ程度である。厚さの比、平面方向の長さと厚さの比の関係については、他の図も同様である。
【００２４】
受容層２の形成範囲は、任意に設定することができるが、本実施形態では、隠蔽カードの広範囲に印刷を行うことができるように、透明基材１の全面に渡って形成されている。隠蔽層３は、他のカードのある部分を隠蔽し、ある部分を視認可能とするために、透明基材１の一部を除外した範囲に形成されている。図１（ａ）の例では、透明基材１における透過部１ａを残し、透過部１ａ以外の部分全面に隠蔽層３が形成されている。透過部１ａは、透明基材１のうち、隠蔽層３により光透過性が阻害されない部分である。透明基材１における透過部１ａの形状は、任意の形状とすることができる。本実施形態では、後述するように、重ねることにより隠蔽されるカードに印刷された顔画像を視認可能とするように、透過部１ａの形状は、顔画像の部分を含む略長方形状となっている。
【００２５】
また、後にカードプリンタ等で個別情報を印刷する際に、隠蔽カード１０の存在を認識する必要がある。透明基材１および受容層２は透明であるため、カードプリンタに備えられたセンサは、そのままでは、隠蔽カード１０の存在を検知できない。そのため、隠蔽カード１０の挿入方向に対して所定以上の幅で隠蔽層３を形成し、カードプリンタに備えられたセンサが、隠蔽カード１０の存在を検知することができるようにしている。本実施形態では、図１（ａ）における右辺側からカードプリンタに挿入するため、図１（ａ）に示す右辺側の隠蔽層３の幅Ｌが所定以上になるように形成している。すなわち、隠蔽カード１０の右辺に沿う方向に所定以上の幅Ｌで形成している。実際には、角が半径３ｍｍの丸みを帯びているため、右辺より左方向に３ｍｍ程度移動した位置において、幅Ｌを定めている。位置確定の精度の問題もあるため、現実には、右辺から左方向に距離１０ｍｍ以内の範囲のどこかにおいて、隠蔽層３の幅Ｌが所定以上になるように形成されていればよい。本実施形態では、隠蔽カード１０の右辺付近の短辺方向における隠蔽層３の幅Ｌを４０ｍｍとしている。カードプリンタに備えられたセンサの精度にも依存するが、幅Ｌは、３０ｍｍ以上とすることが好ましい。
【００２６】
透明基材１としては、一方の面側に重ねたカードの表示内容を他方の面から視認することができる光透過性を有するものであれば、どのようなものを用いても良い。このため、透明基材１の透過濃度は、０．１以下であることが好ましい。透過濃度が０．１を超えると、隠蔽する部分以外の部分が視認し難くなるためである。したがって、透明基材１としては、上記特性を備えるプラスチック樹脂フィルム、すなわち、透明な樹脂材料からなるフィルムが用いられる。
【００２７】
透明基材１に用いられるプラスチック樹脂としては、例えば、ポリエチレンテレフタレート、ポリカーボネート、アクリル樹脂、シクロオレフィン樹脂、ポリエステル樹脂、ポリスチレン樹脂、アクリルスチレン樹脂等を挙げることができる。特に、軽量性、入手の容易性、扱い易さの点からポリエチレンテレフタレートが最適である。その厚さは隠蔽されるカードとの関係性、カードケースとの関係性から、１００μｍ以上７６０μｍ以下が好ましく、１８０μｍ以上３００μｍ以下であることがより好ましい。
【００２８】
受容層２としては、一般的な方法により印刷可能なものであればよく、その印刷方式等は特に限定されるものではない。しかし、個人情報等の個別情報を印刷可能とするため、溶融型熱転写方式、昇華型熱転写方式、インクジェット方式、等で印刷可能であることが好ましい。本実施形態では、取扱い性の点から、溶融型熱転写方式により印刷可能なものを用いている。
【００２９】
受容層２を溶融型熱転写方式により印刷可能なものとする場合、熱溶融されたインクを受容可能な層であれば、特に限定されるものではなく、例えば熱可塑性樹脂からなる層等とすることができる。溶融型熱転写方式により印刷可能な受容層２を構成する樹脂としては、例えば各種ポリエステル樹脂、塩化ビニル−酢酸ビニル共重合体樹脂、ポリカーボネート樹脂、ポリウレタン樹脂、ポリエーテル樹脂、ポリアミド樹脂、アクリル樹脂、セルロース誘導体等が挙げられる。また、受容層２には、架橋剤、滑剤、剥離剤等が適宜添加されていることが好ましい。これらを添加することにより、インクリボンをサーマルヘッドにより加熱して、受容層２に印刷する際に、インクリボンと受容層２とが融着するのを防ぐことができるからである。また、受容層２には、必要に応じて、酸化防止剤、顔料、紫外線吸収剤などの添加剤が添加されていてもよい。これらの各種添加剤は、受容層２を形成する前に上記樹脂とあらかじめ混合しておいてもよく、また各種添加剤からなる塗被層を受容層２の上に形成してもよい。
【００３０】
また、受容層２の形成方法としては、例えば上記樹脂を、必要に応じて適宜添加剤や溶剤等と混合して、公知の方法により透明基材１の上面に塗布したり印刷したりすること等により、形成することができる。また、受容層２の膜厚としては、０．５μｍ以上１０μｍ以下とされることが好ましい。本実施形態では、グラビア印刷により１μｍの膜厚で受容層２を形成している。
【００３１】
隠蔽層３としては、一方の面側に重ねたカードの表示内容を他方の面から視認することが困難なように、光透過性を低減するものであれば、どのようなものを用いても良い。このため、隠蔽層３の透過濃度は、０．７以上であることが好ましい。透過濃度が０．７未満であると、隠蔽層としての機能を十分果たすことができず、隠蔽すべき内容が視認できてしまう恐れが高まるためである。
【００３２】
隠蔽層３の形成は、公知の印刷法、塗布法により行うことが可能である。例えば、オフセット印刷やスクリーン印刷（シルク印刷）により印刷インキを印刷することにより形成することができる。オフセット印刷の場合、６回〜８回の重ね刷りを行い厚さ１μｍ程度の隠蔽層３を形成する。オフセット印刷で重ね刷りを行う場合、全て異なる色のインキを用いても、全て同一色のインキを用いてもよい。受容層２に個別情報を黒色のインキで印刷する場合は、個別情報が映えるように、白色のインキを重ね刷りして隠蔽層３を形成することが好ましい。当然ながら、個別情報が視認可能である限り、任意の色で印刷することが可能である。スクリーン印刷の場合、１回の印刷により厚さ４μｍ以上６μｍ以下の隠蔽層３を形成する。スクリーン印刷の場合も、個別情報が視認可能である限り、任意の色で印刷することが可能である。印刷方式により形成される隠蔽層３の厚さは異なるが、透過濃度が０．７以上となるように隠蔽層３を形成すれば、重ねられるカードの表示内容を隠蔽することが可能となる。
【００３３】
サインパネル４の形成は、公知の印刷法、塗布法により行うことが可能である。例えば、オフセット印刷やスクリーン印刷によりアクリル系樹脂の印刷インキを印刷することにより形成することができる。顔料の粒径が比較的大きいアクリル系樹脂の印刷インキにより形成されるため、署名時にボールペンや万年筆等のインクが定着し易くなる。
【００３４】
ホログラム５の形成は、公知の手法により行うことが可能である。例えば、転写基材上の樹脂にホログラム層を形成し、反射層を蒸着等により積層した後、粘着層を付与することにより転写箔を生成しておき、粘着層面を受容層２側に向けて貼付した後、転写基材を剥離することにより、受容層２上に形成することができる。
【００３５】
＜１．２．隠蔽カードの製造＞
次に、第１の実施形態に係る隠蔽カードの製造方法について説明する。まず、透明基材１を用意する。透明基材１として、２５０μｍの透明ＰＥＴ（ポリエチレンテレフタレート）シートを用意した。透明ＰＥＴシートとして、パナック社製「ＡＣＬ−２５０Ｔ」を用いた。
【００３６】
ロール状の透明ＰＥＴシートをグラビア印刷機の給紙部にセットし、ポリエステル樹脂系のインキを、１．０ｇ／ｍ2以上２．０ｇ／ｍ2以下でグラビア印刷により透明基材１の全面に対応する領域に印刷し、乾燥させて受容層２を形成した。乾燥後、ロール状に巻取り、シート状に加工した。
【００３７】
次に、受容層２が形成されたシート状の透明ＰＥＴシートをオフセット印刷機の給紙部にセットし、紫外線硬化型の白インキを、オフセット印刷により、透明ＰＥＴシートの受容層２が形成された面と反対側の面に、透明基材１となる領域のうち一部を除いた領域に印刷し、紫外線硬化させて隠蔽層３を形成した。
【００３８】
次に、受容層２上の所定の領域に、アクリル樹脂系の印刷インキを、オフセット印刷により、印刷し、乾燥させてサインパネル４を形成した。続いて、事前に作成されたホログラム転写箔を、その粘着層面を受容層２側に向けて貼付し、転写基材を剥離してホログラム５を形成した。
【００３９】
続いて、透明ＰＥＴシートの受容層２、隠蔽層３が形成された領域を、隠蔽カード１０の形状で型抜きを行う。これにより、透明基材１、受容層２、隠蔽層３の三層構造を有する隠蔽カード１０が得られる。隠蔽カード１０は、重ねることにより隠蔽されるカードと厚さ以外の平面方向が同サイズである。通常は、隠蔽されるカードがＪＩＳ規格に従ったサイズであるため、隠蔽カード１０もＪＩＳ規格に従ったサイズとなる。本実施形態では、上述のように、８５．６０ｍｍ×５３．９８ｍｍである。
【００４０】
次に、型抜きされた各隠蔽カード１０の受容層２に、個別情報の印刷を行う。個別情報の印刷は、サインパネル４、ホログラム５の形成領域以外の領域に行われる。本実施形態では、溶融型熱転写型のカードプリンタにより印刷を行った。カードプリンタは、隠蔽カード１０を図１に示す右辺側から取り込み、隠蔽層３の存在によりカードの位置を検知し、個別情報の印刷を行った。この結果、図１に示したような隠蔽カード１０が得られた。図１の例では、個別情報として、「□□株式会社△△部」「社員番号：１２３４５」が印刷されている。隠蔽カード１０の隠蔽層３を透過濃度計（サカタインクス社製「３４１Ｃポータブル透過濃度計」）で測定したところ、透過濃度は０．７以上であった。
【００４１】
＜２．第２の実施形態＞
＜２．１．隠蔽カードの構成＞
図２は、本発明の第２の実施形態に係る隠蔽カードを示す図である。このうち、図２（ａ）は平面図であり、図２（ｂ）は図２（ａ）におけるＣ−Ｃ線に対応する断面図であり、図２（ｃ）は図２（ａ）におけるＤ−Ｄ線に対応する断面図である。図２中、図１と同様の構成については、同一符号を付して説明を省略する。図２において、６は受容層である。第２の実施形態における隠蔽カードは、図２（ｂ）（ｃ）に示すように、受容層６を備えている点が、第１の実施形態における隠蔽カードと異なっている。
【００４２】
図２（ｂ）（ｃ）に示すように、透明基材１の下面には、受容層６が形成されている。すなわち、透明基材１の受容層２が形成された面と反対側の面に、受容層６が形成されている。受容層６は、受容層２と同様、透明基材１の表面に易接着処理がなされていない場合、インクを転写し易くするために形成される。本実施形態では、受容層６は、透明基材１の下面の全面に形成されており、隠蔽カード１０の全ての領域において、隠蔽層３の印刷が好適に行えるようになっている。受容層６は、必ずしも透明基材１の下面の全面に形成する必要はなく、隠蔽層３を形成する予定の領域にのみ形成すればよい。
【００４３】
受容層６としても、受容層２と同様、一般的な方法により印刷可能なものであればよく、その印刷方式等は特に限定されるものではない。隠蔽層を形成するための印刷インキにより印刷可能であることが好ましい。本実施形態では、取扱い性の点から、オフセット印刷方式により印刷可能なものを用いている。受容層６をオフセット印刷方式により印刷可能なものとする場合、オフセット印刷用のインキを受容可能な層であれば、特に限定されるものではなく、例えば熱可塑性樹脂からなる層等とすることができる。本実施形態では、ポリエステルウレタン樹脂系の印刷インキを用いて形成している。
【００４４】
また、受容層６の形成方法としては、例えば上記樹脂を、必要に応じて適宜添加剤や溶剤等と混合して、公知の方法により透明基材１の上面に塗布したり印刷したりすること等により、形成することができる。また、受容層６の膜厚としては、０．５μｍ以上１０μｍ以下とされることが好ましい。本実施形態では、グラビア印刷により１μｍの膜厚で受容層６を形成している。
＜２．２．隠蔽カードの製造＞
次に、第２の実施形態に係る隠蔽カードの製造方法について説明する。第２の実施形態においても、受容層６以外の形成については、第１の実施形態と同様に行われる。
【００４５】
第１の実施形態と同様に受容層２を形成した後、ポリエステルウレタン樹脂系のインキを、１．０ｇ／ｍ2以上２．０ｇ／ｍ2以下でグラビア印刷により透明基材１の全面に対応する領域に印刷し、乾燥させて受容層６を形成した。乾燥後、ロール状に巻取りを行った。この後、第１の実施形態と同様にして、隠蔽層３等の形成を行った。この結果、図２に示したような隠蔽カード１１が得られた。
【００４６】
＜３．隠蔽カードの使用＞
上記実施形態に係る隠蔽カードは、隠蔽される対象となる主カードに重ねて利用する。主カードとしては、その表面に様々な情報が表示されたカードを用いることができる。ここでは、主カードとして近々利用が開始されるマイナンバー制度（社会保障・税番号制度）で交付される個人番号カードを用いた場合について説明する。図３は、個人番号カードとして用いられる主カードを示す図である。主カード２０は、マイナンバー制度に対応した個人番号カードであるため、氏名・住所・生年月日・性別・有効期限・セキュリティコード等が印刷されている。
【００４７】
この主カード２０は、ＩＣチップを搭載しており、個人番号カードとしてだけでなく、例えば社員証・会員証等、マイナンバー制度以外の身分証明書として併用することができるものとなっている。マイナンバー制度以外の身分証明書として用いる場合、個人番号カードに印刷されている氏名と顔画像以外の情報は、他人に知られたくないため、隠蔽して利用できることが望まれる。
【００４８】
このため、本実施形態に係る隠蔽カードを主カードに重ねて利用する。主カード２０に隠蔽カード１０を重ねると、図４（ａ）に示すように、主カード２０の氏名と顔画像以外は隠蔽される。そして、隠蔽カード１０に、個別情報として所属する会社名や社員番号を印刷しておくことにより、社員証として使用することができる。図４（ｂ）においては、層構成のみを示すものであるため、現実とは厚さの比が異なっている。本実施形態では、隠蔽カード１０の厚さが２５０μｍ程度であるのに対して、主カードの厚さは７６０μｍ程度である。図４に示すように重ねたところ、隠蔽カード１０の隠蔽層３の存在により、主カード２０に印刷された住所・生年月日等の情報を視認することはできなかった。
【００４９】
現実には、カードを２枚重ねただけでは不便であるため、カードケースに入れて利用する。図５は、カードケースを利用した使用例を示す図である。このうち、図５（ａ）は、カードケースの平面図であり、図５（ｂ）は、図５（ａ）におけるＦ−Ｆ線に対応する断面図である。図５において、３０はカードケース、３１は挿入口、３２は弾性体である。カードケース３０としては、２枚のカードを重ねて挿入可能であって、挿入されたカードの表面が視認可能なように透明であれば、どのようなものを用いてもよい。カードケース３０は、隠蔽カード１０や主カード２０等のカードの挿入時に、挿入されたカードの表面を視認可能な透明部を有している必要がある。図５の例では、図５（ａ）（ｃ）の手前側、図５（ｂ）の上側が透明部である必要がある。カードケース３０全体が透明であってもよい。
【００５０】
カードケース３０の素材としては、ポリエチレンテレフタレート、ポリカーボネート、オレフィン系樹脂、ＡＢＳ樹脂等の様々な樹脂を用いることができる。カードケース３０は、カードを挿入可能な空洞を形成しており、その一部に円柱形の弾性体３２を備えている。この弾性体３２によりカードを抑え、カードケース３０からのカードの脱落を阻止することができる。弾性体３２は、例えばウレタンゴムにより実現することができる。
【００５１】
図４に示したように隠蔽カード１０と主カード２０を重ねた状態で、カードケース３０に挿入する。すると、隠蔽カード１０は、主カード２０の所定の領域を隠蔽した状態で脱落しないようにカードケース３０に収まる。この結果、図５（ｃ）に示したような、隠蔽カード１０、主カード２０、カードケース３０からなるカードセットが得られる。隠蔽カード１０と主カード２０が重なってカードケース３０に収まった状態のカードセットは、このまま社員証として利用することができる。図示は省略しているが、カードケース３０の表面の一部に開口を設けておき、この開口に指を入れて隠蔽カード１０と主カード２０を挿入口３１側に向かって移動させることにより、隠蔽カード１０と主カード２０を取り出すことができる。真正性を証明するためのホログラムを、隠蔽カード１０の表面ではなく、カードケース３０の表面に設けるようにしてもよい。しかし、耐擦過性の点からカードケース３０の内部に位置することになる隠蔽カード１０の表面に設ける方が好ましい。
【００５２】
以上、本発明の好適な実施形態について説明したが、本発明は上記実施形態に限定されず、種々の変形が可能である。例えば、上記実施形態の隠蔽カードに、さらに、偽造防止層を備えるようにしてもよい。偽造防止層としては、公知のパール印刷層やマイクロ文字の印刷層を用いることができる。偽造防止層を形成する場合は、隠蔽層３よりも透明基材１側に形成することが好ましい。したがって、第１の実施形態では、透明基材１と隠蔽層３の間に形成し、第２の実施形態では、受容層２と隠蔽層３の間に形成する。
【００５３】
また、上記実施形態では、隠蔽カード１０、１１が、サインパネル４とホログラム５を備えるようにしたが、サインパネル４とホログラム５は必ずしも備える必要はなく、また、どちらか一方のみを備えるようにしてもよい。
【００５４】
また、上記実施形態では、主カードとしてマイナンバー制度に対応した個人番号カードを用いる場合について説明したが、主カードとしては、隠蔽したい部分を備えたカードであれば、どのようなものを用いてもよい。
【符号の説明】
【００５５】
１・・・透明基材
１ａ・・・透過部
２・・・受容層
３・・・隠蔽層
４・・・サインパネル
５・・・ホログラム
６・・・受容層
１０、１１・・・隠蔽カード
２０・・・主カード
２０ａ・・・顔画像
３０・・・カードケース
３１・・・挿入口
３２・・・弾性体
Ｌ・・・隠蔽層３の形成幅
【図１】
0006551124.tif 000002
【図２】
0006551124.tif 000003
【図３】
0006551124.tif 000004
【図４】
0006551124.tif 000005
【図５】
0006551124.tif 000006